(57)【要約】      （修正有）【課題】  動作の信頼性の向上を図る。【解決手段】  第１、第２のカム部とを有するフライホイールと、一方のリール台にシャーシとリール台の間で回転自在に支持されテープ状記録媒体の始端又は終端を検出するエンド検出レバーと、エンド検出レバーのリール台に対する負荷を調整する負荷調整用バネと、リール台の回転中にエンド検出レバーによって回動方向における所定の一方向へ付勢され回動位置に応じてテープ走行モードとテープ走行停止モードを切り替える切替レバーと、テープ状記録媒体の走行を停止するストップレバーとを設け、切替レバーに第１のカム部又は第２のカム部に係合され第１のカム部への係合によりテープ走行モードを形成し第２のカム部への係合によりテープ走行停止モードを形成するカム係合部を設け、ストップレバーが移動されたときに切替レバーに対して回動力を付与しフライホイールの第１のカム部にカム係合部を係合させる作用部材を設けた。【選択図】図２０
2008052828.tif 000002
【特許請求の範囲】
【請求項１】
駆動モーターの駆動力によって回転されると共に回転中心側に位置する第１のカム部と該第１のカム部より外側に位置する第２のカム部とを有するフライホイールと、
シャーシに回転自在に支持されフライホイールを介して駆動モーターの駆動力が伝達されて回転されると共にテープ状記録媒体が巻回される一対のリール台と、
一方のリール台にシャーシとリール台の間で回転自在に支持されリール台の回転に応じて回転されると共にテープ状記録媒体の始端又は終端を検出するエンド検出レバーと、
シャーシとエンド検出レバーの間に配置され少なくともエンド検出レバーのリール台に対する負荷を調整する負荷調整用バネと、
シャーシに回動自在に支持されると共にリール台の回転中にエンド検出レバーによって回動方向における所定の一方向へ付勢され回動位置に応じてテープ走行モードとテープ走行停止モードを切り替える切替レバーと、
シャーシに移動自在に支持され第１の方向へ移動されたときにテープ状記録媒体の走行を停止するストップレバーとを備え、
切替レバーにはエンド検出レバーによる付勢の有無に応じてフライホイールの第１のカム部又は第２のカム部に係合され第１のカム部への係合によりテープ走行モードを形成し第２のカム部への係合によりテープ走行停止モードを形成するカム係合部が設けられ、
ストップレバーが第１の方向へ移動されたときに切替レバーに対して上記所定の一方向への回動力を付与しフライホイールの第１のカム部にカム係合部を係合させる作用部材を設けた
ことを特徴とするテープ駆動装置。
【請求項２】
シャーシに移動自在に支持されテープ状記録媒体をイジェクトするイジェクトレバーを設け、
切替レバーのカム係合部がフライホイールの第１のカム部に係合した状態においてストップレバーが第１の方向へ移動されたときにイジェクト部材によってテープ状記録媒体を有するテープカセットのイジェクトを可能とした
ことを特徴とする請求項１に記載のテープ駆動装置。
【請求項３】
上記作用部材としてバネ部材を用いた
ことを特徴とする請求項１に記載のテープ駆動装置。
【発明の詳細な説明】
【技術分野】
【０００１】
本発明はテープ駆動装置についての技術分野に関する。詳しくは、モードを切り替える切替レバーに対して所定の方向への回動力を付与する作用部材を設けて動作の信頼性の向上を図る技術分野に関する。
【背景技術】
【０００２】
テープ状記録媒体に対して情報信号の記録や再生を行うことができるテープ駆動装置、例えば、テープカセットプレーヤーには、テープ状記録媒体に記録された情報信号の再生を行う再生モード、テープ状記録媒体に対して情報信号の記録を行う録音モード、テープ状記録媒体を高速で正転走行させて所謂早送りを行う早送りモード、テープ状記録媒体を高速で反転走行させて所謂巻戻しを行う巻戻しモード等を備えるものがあり、これらの各モードを各種のギヤ及びレバー等を備えるテープ駆動機構を動作させて形成するようにしている。
【０００３】
テープ駆動装置においては、駆動モーターの駆動力がフライホイールを介してリール台に伝達され、該リール台が駆動モーターの回転方向に応じた方向へ回転されてテープ状記録媒体がリール台に巻き取られながら走行される。
【０００４】
このようなテープ駆動装置には、テープ状記録媒体が走行され該テープ状記録媒体が始端又は終端までリール台に巻き取られた状態において、テープ状記録媒体のエンド検出を行いテープ走行停止モードを自動的に形成する所謂オートストップ機構が設けられているものがある（例えば、特許文献１参照）。
【０００５】
オートストップ機構としては、種々の機構が存在するが、例えば、テープ走行モードとテープ走行停止モードを切り替える切替レバーをシャーシに回動自在に設け、テープ状記録媒体の走行中にエンド検出レバーによってテープ状記録媒体の始端又は終端が検出されたときに切替レバーを第１の回動方向へ回動させ、テープ走行停止モードを形成するようにしたものがある。
【０００６】
エンド検出レバーは、例えば、シャーシに支持されたリール台の回転に応じて回転され、テープ状記録媒体の走行中には切替レバーを第１の回動方向とは反対の第２の回動方向へ付勢してテープ走行停止モードが形成されない状態に切替レバーを保持し、テープ状記録媒体の始端又は終端が検出されたときには切替レバーに対する第２の回動方向への付勢を解除し、切替レバーが第１の回動方向へ回動可能な状態となるように動作される。
【０００７】
フライホイールには第１のカム部と第２のカム部が設けられ、切替レバーには第１のカム部又は第２のカム部に選択的に係合されるカム係合部が設けられている。切替レバーは、上記したように、テープ状記録媒体の走行中にエンド検出レバーによって第２の回動方向へ付勢されてカム係合部がフライホイールの第１のカム部に係合され、テープ状記録媒体の走行が停止されたときにエンド検出レバーによる付勢が解除されて第１の回動方向へ回動可能とされカム係合部がフライホイールの第２のカム部に係合される。切替レバーのカム係合部がフライホイールの第２のカム部に係合されると、テープ走行停止モードが形成され、カム係合部は再び第１のカム部に係合される。
【０００８】
また、テープ駆動装置には、テープ状記録媒体の走行を停止するためのストップレバーが設けられている。ストップレバーはテープ状記録媒体の走行を任意の位置で停止させるためのレバーであり、使用者がストップ釦を操作することにより所定の方向へ移動される。
【０００９】
テープ状記録媒体の走行中に、使用者によってストップ釦が操作されてストップレバーが所定の方向（第１の方向）へ移動されると、切替レバーのカム係合部がフライホイールの第２のカム部に係合されてテープ走行停止モードが形成されテープ状記録媒体の走行が停止される。ストップ釦に対する操作が解除されてストップレバーが第１の方向と反対の第２の方向へ移動されると、カム係合部は再び第１のカム部に係合される。
【００１０】
【特許文献１】特開２００１−１５５３９４号公報
【発明の開示】
【発明が解決しようとする課題】
【００１１】
ところが、上記したテープ駆動装置において、使用者がストップ釦の操作を行いテープ状記録媒体の走行が停止されたにも拘わらず、ストップ釦の操作を継続して行ってしまう場合がある。
【００１２】
この場合に、駆動モーターの慣性によって回転されたフライホイールの停止位置によっては、切替レバーのカム係合部が再び第２のカム部に係合されてしまい、後に、ストップ釦の操作を解除してもカム係合部が第２のカム部に係合された状態が保持され、動作不良が生じてしまうおそれがある。
【００１３】
そこで、本発明テープ駆動装置は、上記した問題点を克服し、動作の信頼性の向上を図ることを課題とする。
【課題を解決するための手段】
【００１４】
本発明テープ駆動装置は、上記した課題を解決するために、駆動モーターの駆動力によって回転されると共に回転中心側に位置する第１のカム部と該第１のカム部より外側に位置する第２のカム部とを有するフライホイールと、シャーシに回転自在に支持されフライホイールを介して駆動モーターの駆動力が伝達されて回転されると共にテープ状記録媒体が巻回される一対のリール台と、一方のリール台にシャーシとリール台の間で回転自在に支持されリール台の回転に応じて回転されると共にテープ状記録媒体の始端又は終端を検出するエンド検出レバーと、シャーシとエンド検出レバーの間に配置され少なくともエンド検出レバーのリール台に対する負荷を調整する負荷調整用バネと、シャーシに回動自在に支持されると共にリール台の回転中にエンド検出レバーによって回動方向における所定の一方向へ付勢され回動位置に応じてテープ走行モードとテープ走行停止モードを切り替える切替レバーと、シャーシに移動自在に支持され第１の方向へ移動されたときにテープ状記録媒体の走行を停止するストップレバーとを設け、切替レバーにエンド検出レバーによる付勢の有無に応じてフライホイールの第１のカム部又は第２のカム部に係合され第１のカム部への係合によりテープ走行モードを形成し第２のカム部への係合によりテープ走行停止モードを形成するカム係合部を設け、ストップレバーが第１の方向へ移動されたときに切替レバーに対して上記所定の一方向への回動力を付与しフライホイールの第１のカム部にカム係合部を係合させる作用部材を設けたものである。
【００１５】
従って、本発明テープ駆動装置にあっては、ストップレバーが第１の方向へ移動された状態において、作用部材によって切替レバーがフライホイールの第１のカム部にカム係合部が係合される方向への回動力が付与される。
【発明の効果】
【００１６】
本発明テープ駆動装置は、駆動モーターの駆動力によって回転されると共に回転中心側に位置する第１のカム部と該第１のカム部より外側に位置する第２のカム部とを有するフライホイールと、シャーシに回転自在に支持されフライホイールを介して駆動モーターの駆動力が伝達されて回転されると共にテープ状記録媒体が巻回される一対のリール台と、一方のリール台にシャーシとリール台の間で回転自在に支持されリール台の回転に応じて回転されると共にテープ状記録媒体の始端又は終端を検出するエンド検出レバーと、シャーシとエンド検出レバーの間に配置され少なくともエンド検出レバーのリール台に対する負荷を調整する負荷調整用バネと、シャーシに回動自在に支持されると共にリール台の回転中にエンド検出レバーによって回動方向における所定の一方向へ付勢され回動位置に応じてテープ走行モードとテープ走行停止モードを切り替える切替レバーと、シャーシに移動自在に支持され第１の方向へ移動されたときにテープ状記録媒体の走行を停止するストップレバーとを備え、切替レバーにはエンド検出レバーによる付勢の有無に応じてフライホイールの第１のカム部又は第２のカム部に係合され第１のカム部への係合によりテープ走行モードを形成し第２のカム部への係合によりテープ走行停止モードを形成するカム係合部が設けられ、ストップレバーが第１の方向へ移動されたときに切替レバーに対して上記所定の一方向への回動力を付与しフライホイールの第１のカム部にカム係合部を係合させる作用部材を設けたことを特徴とする。
【００１７】
従って、駆動モーターが慣性によって回転されたときにカム係合部が第２のカム部に係合することがなく、動作不良の発生を防止して動作の信頼性の向上を図ることができる。
【００１８】
請求項２に記載した発明にあっては、シャーシに移動自在に支持されテープ状記録媒体をイジェクトするイジェクトレバーを設け、切替レバーのカム係合部がフライホイールの第１のカム部に係合した状態においてストップレバーが第１の方向へ移動されたときにイジェクト部材によってテープ状記録媒体を有するテープカセットのイジェクトを可能としたので、テープカセットのイジェクトを確実に行うことができる。
【００１９】
請求項３に記載した発明にあっては、上記作用部材としてバネ部材を用いたので、簡単な構成によって確実にテープカセットのイジェクトを行うことができる。
【発明を実施するための最良の形態】
【００２０】
以下に、本発明テープ駆動装置をテープカセットプレーヤーに適用した最良の形態を添付図面を参照して説明する。
【００２１】
尚、以下の説明にあっては、使用者から見た方向で前後上下左右の方向を示すものとする。従って、使用者側を前方とし、その反対側を後方とする。また、各部の回転方向及び回動方向については、前方（正面）から見た状態で説明し、時計回り方向をＲ１方向とし、反時計回り方向をＲ２方向とする。また、テープ駆動装置における各部は図示しないバネ部材によって所定の方向へ付勢されているものがあるが、各部の付勢方向については、図中に、太い矢印によって示す。
【００２２】
尚、以下に示す各方向は説明の便宜上のものであり、本発明の実施に関しては、これらの方向に限定されることはない。
【００２３】
テープ駆動装置（テープカセットプレーヤー）１は外筐２内に所要の各部が配置されて成る（図１参照）。外筐２は、例えば、横長の扁平な略矩形状に形成され、本体部３と該本体部３に回動自在に支持された蓋部４とから成る。蓋部４は、外筐２の前面部の略全体を構成する部分であり、例えば、下端部を支点として本体部３に対して回動可能とされている。
【００２４】
本体部３の上面３ａには左右に離隔して下方へ押圧操作される複数の操作釦５、５、・・・が配置されている。操作釦５、５、・・・としては、左側から順に、テープ状記録媒体１００の走行を一時的に停止させるための一時停止釦５ａ、テープ状記録媒体１００の走行を停止又はテープカセット２００をイジェクトするためのストップ・イジェクト釦５ｂ、テープ状記録媒体１００の一方向（正転方向）における高速走行を行うための早送り釦５ｃ、テープ状記録媒体１００の他方向（反転方向）における高速走行を行うための巻戻し釦５ｄ、記録（録音）した情報信号の再生を行うための再生釦５ｅ及び情報信号を記録（録音）するための録音釦５ｆが設けられている。
【００２５】
次に、テープ駆動装置１の内部に設けられたテープ駆動機構６の構成について説明する（図２乃至図１０参照）。尚、以下のテープ駆動機構６の構成についての説明は、何れの操作釦５、５、・・・も操作されていないストップモードにおける状態で行う。
【００２６】
テープ駆動機構６は外筐２の内部に設けられたシャーシ７に所要の各部が配置されて成る（図２及び図３参照）。
【００２７】
シャーシ７の左端寄りの位置には、図４に示すように、突片挿通孔７ａと突部挿通孔７ｂが形成されている。シャーシ７には突部挿通孔７ｂの下側の位置にレバー挿通孔７ｃが形成されている。シャーシ７の略中央部には、上側に軸挿通孔７ｄが形成され、下側に配置孔７ｅが形成されている。シャーシ７の右端寄りの位置には操作片挿通孔７ｆが形成されている。
【００２８】
シャーシ７には、突片挿通孔７ａの開口縁に第１のバネ掛け片７ｇが設けられ、突部挿通孔７ｂの直ぐ右側の位置に第２のバネ掛け片７ｈが設けられている。
【００２９】
シャーシ７の後面７ｉ側には正逆両回転が可能な駆動モーター８が配置されている（図３参照）。駆動モーター８はシャーシ７に取り付けられたモーター台座９を介してシャーシ７に配置されている。
【００３０】
シャーシ７の後面７ｉ側にはフライホイール１０が回転自在に支持されている（図３参照）。フライホイール１０は、図５に示すように、円板部１１と該円板部１１の中心部に固定された回転軸１２とから成る。フライホイール１０は回転軸１２がシャーシ７の突片挿通孔７ａの直ぐ右側の位置に支持されている。
【００３１】
円板部１１は本体１３と該本体１３の前面に設けられた小径プーリー部１４と本体１３の後面に設けられた大径プーリー部１５とから成る。
【００３２】
小径プーリ部１４には、図５及び図６に示すように、回転中心側に第１のカム部１６が設けられ、該第１のカム部１６の外側に第２のカム部１７が設けられている。第１のカム部１６は回転中心からの距離が一定に形成された円弧状部１６ａと回転中心からの距離が変化される変位部１６ｂとが連続して成る。回転中心から変位部１６ｂまでの距離は回転中心から円弧状部１６ａまでの距離より大きくされている。第２のカム部１７は変位部１６ｂの外側に離隔して設けられ、略円弧状に形成されている。
【００３３】
シャーシ７には、突部挿通孔７ｂの直ぐ下側の部分を支点として切替レバー１８が回動自在に支持されている（図３参照）。切替レバー１８は、図７に示すように、円形状の支点部１９と該支点部１９から放射方向へ突出されたアーム部２０と支点部１９からアーム部２０とは異なる放射方向へ突出された作用突部２１とが一体に形成されて成る。
【００３４】
支点部１９にはシャーシ７に取り付けられる支持用ネジ２２が挿通され、該支持用ネジ２２と支点部１９の間に圧縮バネ２３が支持される。切替レバー１８は圧縮バネ２３によってシャーシ７側へ付勢され、一定のフリクションを有した状態でシャーシ７に回動自在に支持される。
【００３５】
アーム部２０の先端部には後方へ突出されたカム係合部２０ａが設けられている（図５及び図７参照）。アーム部２０の中間部には前方へ突出されたバネ支持突部２０ｂが設けられている（図７参照）。アーム部２０はカム係合部２０ａがフライホイール１０の中心部付近に位置され（図３参照）、フライホイール１０の第１のカム部１６又は第２のカム部１７に選択的に係合される。
【００３６】
作用突部２１の先端部には軸挿入孔２４が形成されている（図３及び図７参照）。軸挿入孔２４には左側開口押圧縁２４ａと右側開口押圧縁２４ｂとが形成されている。
【００３７】
切替レバー１８は作用突部２１の左側開口押圧縁２４ａと右側開口押圧縁２４ｂの何れが押圧されても、Ｒ１方向への回動力が付与される形状に形成されている。
【００３８】
シャーシ７の第１のバネ掛け片７ｇには第１の捩じりコイルバネ２５が支持されている（図４参照）。第１の捩じりコイルバネ２５はコイル部２５ａと左側に位置する第１の腕部２５ｂと右側に位置する第２の腕部２５ｃとから成り、コイル部２５ａが第１のバネ掛け片７ｇに支持され、第２の腕部２５ｃが切替レバー１８のバネ支持突部２０ｂに左側から係合可能な位置にある。
【００３９】
シャーシ７の第２のバネ掛け片７ｈには第２の捩じりコイルバネ２６が支持されている。第２の捩じりコイルバネ２６はコイル部２６ａと上側に位置する第１のアーム部２６ｂと下側に位置する第２のアーム部２６ｃとから成り、コイル部２６ａが第２のバネ掛け片７ｈに支持され、第１のアーム部２６ｂが突部挿通孔７ｂを挿通されて前方へ突出され、第２のアーム部２６ｃが切替レバー１８の作用突部２１に上側から係合可能な位置にある。
【００４０】
シャーシ７の後面７ｉ側には首振レバー２７が軸挿通孔７ｄと配置孔７ｅの間の位置を支点として回動自在に支持されている（図２及び図３参照）。首振レバー２７は図示しないバネ部材によってＲ１方向へ付勢されている。首振レバー２７は支持面部２８と該支持面部２８から略上方へ突出された被作用突部２９とから成り、該被作用突部２９の先端部には前方へ突出された被作用軸２９ａが設けられている。
【００４１】
首振レバー２７は被作用突部２９における支持面部２８寄りの部分が回動支点とされ、支持面部２８が配置孔７ｅに配置され、被作用突部２９が軸挿通孔７ｄに配置され、被作用軸２９ａが軸挿通孔７ｄから前方へ突出されている。
【００４２】
首振レバー２７の支持面部２８の後面には、プーリー３０が回転自在に支持されている。
【００４３】
駆動モーター８のモーター軸とフライホイール１０の大径プーリー部１５との間にはベルト３１が巻回され、フライホイール１０の小径プーリー部１４とプーリー３０との間にはベルト３２が巻回されている。従って、駆動モーター８が回転されると、その駆動力がベルト３１、フライホイール１０及びベルト３２を介してプーリー３０に伝達され、該プーリー３０が回転される。
【００４４】
シャーシ７の後面７ｉには、その上端部における右端寄りの位置に保持突部３３が設けられている（図３参照）。保持突部３３には左右に離隔して一対のスイッチ片３４、３５が保持され、該スイッチ片３４、３５は保持突部３３から下方へ突出されている。スイッチ片３４、３５が接触されることにより電源回路が閉じ、駆動モーター８に駆動電流が供給される。スイッチ片３４、３５の下端部はシャーシ７の操作片挿通孔７ｆの真後ろに位置されている。
【００４５】
シャーシ７の前面７ｊにはサブシャーシ３６が取り付けられている（図２及び図８参照）。サブシャーシ３６はシャーシ７の略上半部に相当する部分を前側から覆うようにして取り付けられている。サブシャーシ３６には左右に離隔して後方へ突出された支持ピン３６ａ、３６ａ、３６ａが設けられている。
【００４６】
シャーシ７とサブシャーシ３６の間には、図８に示すように、左右に離隔してそれぞれ上下方向へ延びる一時停止レバー３７、ストップレバー３８、早送りレバー３９、巻戻しレバー４０、再生レバー４１及び録音レバー４２が上下方向へ移動自在に支持されている。一時停止レバー３７、ストップレバー３８、早送りレバー３９、巻戻しレバー４０、再生レバー４１及び録音レバー４２は何れも図示しない各バネ部材によって上方へ付勢されている。
【００４７】
一時停止レバー３７は一時停止釦５ａを押圧操作することにより下方へ移動され、ストップレバー３８はストップ・イジェクト釦５ｂを押圧操作することにより下方へ移動され、早送りレバー３９は早送り釦５ｃを押圧操作することにより下方へ移動され、巻戻しレバー４０は巻戻し釦５ｄを押圧操作することにより下方へ移動され、再生レバー４１は再生釦５ｅを押圧操作することにより下方へ移動され、録音レバー４２は録音釦５ｆを押圧操作することにより下方へ移動される。
【００４８】
一時停止レバー３７には、図９に示すように、上端寄りの位置に前方へ突出された押圧突部３７ａが設けられ、上下方向における略中央部に後方へ突出されたバネ作用突部３７ｂが設けられ、下端部に押圧部３７ｃが設けられている。押圧突部３７ａはサブシャーシ３６に形成された図示しない挿通孔から前方へ突出されている。バネ作用突部３７ｂはシャーシ７の突片挿通孔７ａから後方へ突出され、一時停止レバー３７が下方へ移動されたときに第１の捩じりコイルバネ２５の第１の腕部２５ｂを右方へ移動させる方向へ押圧する。押圧部３７ｃは、一時停止レバー３７が下方へ移動されたときにサブシャーシ３６から下方へ突出される。
【００４９】
ストップレバー３８には、上下方向における略中央部に前方へ突出された押圧片部３８ａが設けられている。ストップレバー３８の下端部はバネ押圧部３８ｂとして設けられている。
【００５０】
早送りレバー３９には、上下方向における略中央部に前方へ突出された作用片部３９ａが設けられ、下端部に摺動突部３９ｂが設けられている。摺動突部３９ｂは上方へ行くに従って右方へ変位するように傾斜され、首振レバー２７の被作用軸２９ａに右方から接触されている。首振レバー２７は、上記したように、Ｒ１方向へ付勢されているため、早送りレバー３９が下方へ移動されると摺動突部３９ｂが被作用軸２９ａと摺動され、首振レバー２７がバネ部材の付勢力によってＲ１方向へ回動される。
【００５１】
巻戻しレバー４０には、上下方向における略中央部に前方へ突出された作用片部４０ａが設けられ、下端部に摺動突部４０ｂが設けられている。摺動突部４０ｂは下方へ行くに従って左方へ変位するように傾斜され、首振レバー２７の被作用軸２９ａに右方から接触可能とされている。巻戻しレバー４０が下方へ移動されると摺動突部４０ｂが被作用軸２９ａを押圧しながら摺動され、バネ部材の付勢力に抗してＲ２方向へ回動される。
【００５２】
再生レバー４１には、上下方向における略中央部の左端部に前方へ突出された連結片部４１ａが設けられ、該連結片部４１ａの右側の位置に前方へ突出された作用片部４１ｂが設けられ、下端寄りの位置に右方へ突出された連動突片４１ｃが設けられている。
【００５３】
録音レバー４２には、上下方向における略中央部に左方へ突出された連結片部４２ａが設けられ、下端部に被規制突部４２ｂが設けられている。
【００５４】
シャーシ７とサブシャーシ３６の間にはスライダー４３が左右方向へ移動自在に支持されている（図３及び図８参照）。スライダー４３は図示しないバネ部材によって右方に付勢されている。
【００５５】
スライダー４３は、図１０に示すように、左右方向に長い水平部４４と該水平部４４の左端部から下方へ突出された垂直部４５とから成る。スライダー４３には左右に離隔して横長の被支持孔４３ａ、４３ａ、４３ａが形成されている。スライダー４３は、被支持孔４３ａ、４３ａ、４３ａにサブシャーシ３６の支持ピン３６ａ、３６ａ、３６ａがそれぞれ挿入されてサブシャーシ３６に対して左右方向へ移動可能とされる。
【００５６】
水平部４４には左右に離隔して５つの傾斜縁４４ａ、４４ｂ、４４ｃ、４４ｄ、４４ｅが形成され、該傾斜縁４４ａ、４４ｂ、４４ｃ、４４ｄ、４４ｅは何れも右方へ行くに従って下方へ変位するように傾斜されている。水平部４４の傾斜縁４４ｂ、４４ｃ、４４ｄ、４４ｅの直ぐ下側の位置には、それぞれ右方に開口されたロック凹部４４ｆ、４４ｇ、４４ｈ、４４ｉが形成されている。水平部４４には、傾斜縁４４ａと傾斜縁４４ｂの間の位置に支持孔４４ｊが形成されている。
【００５７】
垂直部４５の上端寄りの位置には、被押圧片４５ａが設けられている。被押圧片４５ａはシャーシ７の突片挿通孔７ａから後方へ突出され、切替レバー１８のカム係合部２０ａの直ぐ左側に位置されている。垂直部４５の下端部には右方へ突出されたバネ保持片４５ｂが設けられている。バネ保持片４５ｂはシャーシ７の突部挿通孔７ｂから後方へ突出され、第１の捩じりコイルバネ２５の第１の腕部２５ｂを保持している。
【００５８】
シャーシ７とサブシャーシ３６の間にはスイッチングレバー４６が左右方向へ移動自在に支持されている（図３及び図８参照）。スイッチングレバー４６はスライダー４３の前面に重ねられた状態で支持され、図示しないバネ部材によって左方に付勢されている。
【００５９】
スイッチングレバー４６には左右に離隔して横長の被支持孔４６ａ、４６ａが形成されている（図１０参照）。スイッチングレバー４６は、被支持孔４６ａ、４６ａにサブシャーシ３６の支持ピン３６ａ、３６ａがそれぞれ挿入されてサブシャーシ３６に対して左右方向へ移動可能とされる。
【００６０】
スイッチングレバー４６には左右に離隔して３つの傾斜状縁部４６ｂ、４６ｃ、４６ｄが形成され、該傾斜状縁部４６ｂ、４６ｃ、４６ｄは何れも左方へ行くに従って下方へ変位するように傾斜されている。スイッチングレバー４６の右端部には後方へ突出された操作片４６ｅが設けられている。操作片４６ｅはシャーシ７の操作片挿通孔７ｆから後方へ突出され、スイッチ片３４、３５の直ぐ左側に位置されている。
【００６１】
スライダー４３の支持孔４４ｊにはイジェクト用アーム４７が回動自在に支持されている（図３及び図８参照）。イジェクト用アーム４７は略左右に長く形成され、右端部が支持孔４４ｊに支持されて回動支点とされている。イジェクト用アーム４７の左端部には前方へ突出された押圧突片４７ａが設けられている（図１０参照）。押圧突片４７ａはサブシャーシ３６に形成された図示しない挿通孔から前方へ突出されている。イジェクト用アーム４７の中間部には上方に開口された逃げ凹部４７ｂが形成されている。
【００６２】
シャーシ７の前面７ｊには左右に離隔してリール台４８、４９が回転自在に支持されている（図２及び図８参照）。リール台４８、４９はそれぞれギヤ部４８ａ、４９ａと該ギヤ部４８ａ、４９ａの中心部から前方へ突出された装着突部４８ｂ、４９ｂとを有している。
【００６３】
左側に位置するリール台４８のギヤ部４８ａの後面には、図７に示すように、その中心部に後方へ突出された円筒状の嵌合突部４８ｃが設けられている。
【００６４】
リール台４８のギヤ部４８ａの後面には、エンド検出レバー５０が回転自在に支持されている（図７参照）。エンド検出レバー５０は板状の円環部５０ａと該円環部５０ａから後方へ突出された軸状部５０ｂとから成る。
【００６５】
リール台４８の後面にはバネ受け部材５１が固定される。バネ受け部材５１はリング部５１ａと該リング部５１ａの内周縁から前方へ突出された被固定部５１ｂとから成る。バネ受け部材５１は被固定部５１ｂがエンド検出レバー５０の円環部５０ａの中心孔を挿通され、リール台４８の嵌合突部４８ｃに、例えば、圧入されることにより固定される。
【００６６】
リール台４８にバネ受け部材５１が固定された状態においては、シャーシ７の前面７ｊとバネ受け部材５１の間に第１の負荷調整用バネ５２が配置され、バネ受け部材５１とエンド検出レバー５０のリング部５０ａとの間に第２の負荷調整用バネ５３が配置される。第１の負荷調整用バネ５２と第２の負荷調整用バネ５３は何れも、例えば、圧縮コイルバネである。
【００６７】
第１の負荷調整用バネ５２と第２の負荷調整用バネ５３の軸中心は、リール台４８及びエンド検出レバー５０の回転中心に略一致されている。
【００６８】
第１の負荷調整用バネ５２によってバネ受け部材５１を介してリール台４８に回転軸方向における負荷（フリクション）が付与される。従って、リール台４８にテープ状記録媒体１００が弛み等の不具合を生じることなく巻き取られる。
【００６９】
第２の負荷調整用バネ５３によってエンド検出レバー５０にリール台４８に対する回転軸方向における負荷（フリクション）が付与される。従って、エンド検出レバー５０はリール台４８のギヤ部４８ａの後面に押し付けられ、リール台４８と一体となって回転可能とされると共にリール台４８に対して回転可能とされる。
【００７０】
エンド検出レバー５０の軸状部５０ｂはシャーシ７のレバー挿通孔７ｃから後方へ突出され、切替レバー１８の軸挿入孔２４に挿入される。
【００７１】
リール台４９のギヤ部４９ａとシャーシ７の前面７ｊとの間には、図示しないフリクション用バネが配置されている。従って、フリクション用バネによってリール台４９に回転軸方向における負荷（フリクション）が付与され、リール台４９にテープ状記録媒体１００が弛み等の不具合を生じることなく巻き取られる。
【００７２】
シャーシ７の前面７ｊには回動レバー５４がリール台４８と同軸上に回転自在に支持されている（図２及び図８参照）。従って、第１の負荷調整用バネ５２は回動レバー５４とバネ受け部材５１の間で圧縮された状態で配置される。
【００７３】
回動レバー５４は略左右に長く形成され、図示しないバネ部材によってＲ１方向へ付勢されている。回動レバー５４には、左端部に被押圧片５４ａが設けられ、右端部に被受け片５４ｂが設けられている。
【００７４】
回動レバー５４の右端寄りの位置には、連動ギヤ５５が回転自在に支持されている。連動ギヤ５５はリール台４８のギヤ部４８ａと噛合されている。
【００７５】
シャーシ７の前面７ｊには、リール台４８の直ぐ右側の位置に伝達ギヤ５６が回転自在に支持されている。伝達ギヤ５６はリール台４８のギヤ部４８ａに噛合されている。
【００７６】
シャーシ７に回動自在に支持された首振レバー２７の支持面部２８には、その前面に２段ギヤ５７が回転自在に支持されている。２段ギヤ５７は大径部５７ａと小径部５７ｂから成る。２段ギヤ５７の回転軸は支持面部２８の後面に支持されたプーリー３０の回転軸と同軸とされ、２段ギヤ５７はプーリー３０と一体となって回転される。
【００７７】
サブシャーシ３６の前面には、左右方向における中央部に昇降スライダー５８が上下方向へ移動自在に支持されている。昇降スライダー５８は図示しないバネ部材によって上方へ付勢され、下端部に左方へ突出された係合片５８ａを有している。係合片５８ａは回動レバー５４の被受け片５４ｂに下方から係合されている。従って、昇降スライダー５８が下方へ移動されると、回動レバー５４がバネ部材の付勢力によってＲ１方向へ回動され、昇降スライダー５８が上方へ移動されると、被受け片５４ｂが係合片５８ａに押圧されてバネ部材の付勢力に抗してＲ２方向へ回動される。
【００７８】
昇降スライダー５８の上端部には再生レバー４１の連結片部４１ａが連結されている。従って、昇降スライダー５８は再生レバー４１と一体となって上下方向へ移動される。
【００７９】
昇降スライダー５８の上端部にはヘッド５９が取り付けられている。
【００８０】
サブシャーシ３６の左端部における上端部にはローラーユニット６０が回動自在に支持され、該ローラーユニット６０にはピンチローラー６０ａが設けられている。ローラーユニット６０は図示しないバネ部材によってピンチローラー６０ａが略上方へ移動される方向へ付勢されている。ピンチローラー６０ａは、昇降スライダー５８の下方への移動に伴って略下方へ移動され、昇降スライダー５８の上方への移動に伴って略上方へ移動されるように構成されている。
【００８１】
サブシャーシ３６の右端部における上端部には磁気ヘッドユニット６１が回動自在に支持され、該磁気ヘッドユニット６１には磁気ヘッド６１ａが設けられている。磁気ヘッドユニット６１は図示しないバネ部材によって磁気ヘッド６１ａが略上方へ移動される方向へ付勢されている。磁気ヘッド６１ａは、録音レバー４２の下方への移動に伴って略下方へ移動され、録音レバー４２の上方への移動に伴って略上方へ移動されるように構成されている。
【００８２】
サブシャーシ３６の左端部にはイジェクトレバー６２が上下方向へ移動自在に支持されている。イジェクトレバー６２は図示しないバネ部材によって上方へ付勢されている。
【００８３】
シャーシ７の前面７ｊには、その下端部における右端寄りの位置に、前面７ｊ側に付勢された図示しない録音レバー規制部材が回動自在に支持されている。録音可能なテープカセット２００がリール台４８、４９に装着されたときには録音レバー規制部材が所定の方向へ回動されて録音レバー４２は下方への移動が可能とされ、録音防止状態とされたテープカセット２００がリール台４８、４９に装着されたときには録音レバー規制部材が回動されず被規制突部４２ｂが録音レバー規制部材に接触して録音レバー４２の下方への移動が規制される。
【００８４】
テープ駆動機構６において駆動モーター８が回転されると、上記したように、その駆動力がベルト３１、フライホイール１０及びベルト３２を介してプーリー３０に伝達され、該プーリー３０が回転される。プーリー３０が回転されると２段ギヤ５７がプーリー３０と一体となって回転される。このとき連動ギヤ５５が２段ギヤ５７の小径部５７ｂ及びリール台４８のギヤ部４８ａに噛合されていると２段ギヤ５７の回転に伴ってリール台４８が低速で回転され、２段ギヤ５７の大径部５７ａが伝達ギヤ５６に噛合されていると２段ギヤ５７の回転に伴ってリール台４８が高速で回転され、２段ギヤ５７の大径部５７ａがリール台４９のギヤ部４９ａに噛合されていると２段ギヤ５７の回転に伴ってリール台４９が高速で回転される。
【００８５】
以下に、テープ駆動機構６の動作について説明する（図１１乃至図２１参照）。
【００８６】
先ず、テープ状記録媒体１００が走行されないストップモードについて説明する（図１１及び図１２参照）。
【００８７】
ストップモードにおいては、図１１に示すように、一時停止レバー３７、ストップレバー３８、早送りレバー３９、巻戻しレバー４０、再生レバー４１及び録音レバー４２の何れも下方へ移動されておらず初期位置にある。
【００８８】
首振レバー２７は被作用軸２９ａが早送りレバー３９の摺動突部３９ｂに係合され、回動範囲における中間の位置に保持されている。従って、首振レバー２７に支持された２段ギヤ５７は伝達ギヤ５６及びリール台４９のギヤ部４９ａの何れとも噛合されていない。
【００８９】
スライダー４３は右方の移動端に位置されている。スライダー４３が右方の移動端に位置されているため、第１の腕部２５ｂがバネ保持片４５ｂに保持された第１の捩じりコイルバネ２５は、図１２に示すように、第２の腕部２５ｃが切替レバー１８のバネ支持突部２０ｂを右方へ押圧し、切替レバー１８はカム係合部２０ａがフライホイール１０の第１のカム部１６に係合されている。
【００９０】
第２の捩じりコイルバネ２６は第１のアーム部２６ｂがストップレバー３８と離隔されており、第２のアーム部２６ｃが切替レバー１８から離隔されている。
【００９１】
イジェクト用アーム４７はスライダー４３に支持されているため、該スライダー４３と同様に右方の移動端に位置され、押圧突片４７ａがイジェクトレバー６２の上面の直ぐ上側に位置されている。
【００９２】
スイッチングレバー４６は左方の移動端に位置され（図１１参照）、操作片４６ｅがスイッチ片３４の左方に離隔して位置されている。従って、スイッチ片３４とスイッチ片３５は接触されておらず、スイッチＯＦＦの状態とされている。スイッチＯＦＦの状態とされているため、駆動モーター８の回転は停止されている。
【００９３】
回動レバー５４は被受け片５４ｂが上方の移動端に位置されている昇降スライダー５８の係合片５８ａに係合され、Ｒ２方向における回動端に保持されている。従って、回動レバー５４に支持された連動ギヤ５５は２段ギヤ５７と噛合されていない。
【００９４】
次に、ストップモードからテープ状記録媒体１００が正転方向へ高速で走行される早送りモードへの遷移動作について説明する（図１３参照）。
【００９５】
早送りモードは、ストップモードにおいて早送り釦５ｃが押圧操作されて早送りレバー３９が下方へ移動されることにより形成される。
【００９６】
早送りレバー３９が下方へ移動されると、作用片部３９ａがスライダー４３の傾斜縁４４ｂに摺動され、スライダー４３が左方へ移動されていく。早送りレバー３９が下方の移動端まで移動されると、作用片部３９ａがロック凹部４４ｆの真横に位置され、バネ部材によってスライダー４３が右方へ移動され、作用片部３９ａがロック凹部４４ｆに係合されて早送りレバー３９がスライダー４３にロックされる。
【００９７】
同時に、早送りレバー３９の下方への移動により、作用片部３９ａがスイッチングレバー４６の傾斜状縁部４６ｂに摺動され、スイッチングレバー４６が右方へ移動される。スイッチングレバー４６が右方へ移動されると、操作片４６ｅによってスイッチ片３４が押圧され、該スイッチ片３４とスイッチ片３５が接触されてスイッチＯＮ状態となり駆動モーター８に駆動電流が供給される。
【００９８】
このとき早送りレバー３９の下方への移動により、摺動突部３９ｂと首振レバー２７の被作用軸２９ａとが摺動され、首振レバー２７がＲ１方向へ回動され２段ギヤ５７の大径部５７ａが伝達ギヤ５６に噛合される。従って、駆動モーター８の駆動力が２段ギヤ５７の大径部５７ａから伝達ギヤ５６を介してリール台４８に伝達され、該リール台４８が高速で回転されてテープ状記録媒体１００が巻き取られる。
【００９９】
次に、ストップモードからテープ状記録媒体１００が反転方向へ高速で走行される巻戻しモードへの遷移動作について説明する（図１４参照）。
【０１００】
巻戻しモードは、ストップモードにおいて巻戻し釦５ｄが押圧操作されて巻戻しレバー４０が下方へ移動されることにより形成される。
【０１０１】
巻戻しレバー４０が下方へ移動されると、作用片部４０ａがスライダー４３の傾斜縁４４ｃに摺動され、スライダー４３が左方へ移動されていく。巻戻しレバー４０が下方の移動端まで移動されると、作用片部４０ａがロック凹部４４ｇの真横に位置され、バネ部材によってスライダー４３が右方へ移動され、作用片部４０ａがロック凹部４４ｇに係合されて巻戻しレバー４０がスライダー４３にロックされる。
【０１０２】
同時に、巻戻しレバー４０の下方への移動により、作用片部４０ａがスイッチングレバー４６の傾斜状縁部４６ｃに摺動され、スイッチングレバー４６が右方へ移動される。スイッチングレバー４６が右方へ移動されると、操作片４６ｅによってスイッチ片３４が押圧され、該スイッチ片３４とスイッチ片３５が接触されてスイッチＯＮ状態となり駆動モーター８に駆動電流が供給される。
【０１０３】
このとき巻戻しレバー４０の下方への移動により、摺動突部４０ｂによって首振レバー２７の被作用軸２９ａが押圧されて両者が摺動され、首振レバー２７がＲ２方向へ回動され２段ギヤ５７の大径部５７ａがリール台４９の大径部４９ａに噛合される。従って、駆動モーター８の駆動力が２段ギヤ５７の大径部５７ａからリール台４９に伝達され、該リール台４９が高速で回転されてテープ状記録媒体１００が巻き取られる。
【０１０４】
次に、ストップモードからテープ状記録媒体１００に記録された情報信号の再生が行われる再生モードへの遷移動作について説明する（図１５参照）。
【０１０５】
再生モードは、ストップモードにおいて再生釦５ｅが押圧操作されて再生レバー４１が下方へ移動されることにより形成される。
【０１０６】
再生レバー４１が下方へ移動されると、作用片部４１ｂがスライダー４３の傾斜縁４４ｄに摺動され、スライダー４３が左方へ移動されていく。再生レバー４１が下方の移動端まで移動されると、作用片部４１ｂがロック凹部４４ｈの真横に位置され、バネ部材によってスライダー４３が右方へ移動され、作用片部４１ｂがロック凹部４４ｈに係合されて再生レバー４１がスライダー４３にロックされる。
【０１０７】
同時に、再生レバー４１の下方への移動により、作用片部４１ｂがスイッチングレバー４６の傾斜状縁部４６ｄに摺動され、スイッチングレバー４６が右方へ移動される。スイッチングレバー４６が右方へ移動されると、操作片４６ｅによってスイッチ片３４が押圧され、該スイッチ片３４とスイッチ片３５が接触されてスイッチＯＮ状態となり駆動モーター８に駆動電流が供給される。
【０１０８】
このとき再生レバー４１の下方への移動により、サブシャーシ３６に支持されている昇降スライダー５８が下方へ移動される。昇降スライダー５８の下方への移動に伴ってヘッド５９が下方へ移動されると共にピンチローラー６０ａが略下方へ移動される。従って、ヘッド５９及びピンチローラー６０ａがテープ状記録媒体１００に押し当てられ、該ピンチローラー６０ａによってテープ状記録媒体１００に一定のテンションが付与される。
【０１０９】
昇降スライダー５８が下方へ移動されると、係合片５８ａと被受け片５４ｂが接触された状態でバネ部材の付勢力によって回動レバー５４がＲ１方向へ回動され、該回動レバー５４に支持されている連動ギヤ５５が２段ギヤ５７の小径部５７ｂ及びリール台４８のギヤ部４８ａに噛合される。従って、駆動モーター８の駆動力が２段ギヤ５７の小径部５７ｂから連動ギヤ５５を介してリール台４８に伝達され、該リール台４８が低速で回転されてテープ状記録媒体１００が巻き取られる。このときヘッド５９を介してテープ状記録媒体１００に記録された情報信号が読み取られ、情報信号の再生が行われる。
【０１１０】
次に、ストップモードからテープ状記録媒体１００に対して情報信号の記録が行われる録音モードへの遷移動作について説明する（図１６参照）。
【０１１１】
録音モードは、ストップモードにおいて録音釦５ｆが押圧操作されて録音レバー４２が下方へ移動されることにより形成される。
【０１１２】
録音レバー４２が下方へ移動されると、連結片部４２ａがスライダー４３の傾斜縁４４ｅに摺動され、スライダー４３が左方へ移動されていく。録音レバー４２の下方への移動に伴って該録音レバー４２の連結片部４２ａと連結されている再生レバー４１も下方へ移動されていく。録音レバー４２が下方の移動端まで移動されると、連結片部４２ａがロック凹部４４ｉの真横に位置され、バネ部材によってスライダー４３が右方へ移動され、連結片部４２ａがロック凹部４４ｉに係合されて録音レバー４２がスライダー４３にロックされる。再生レバー４１は録音レバー４２のロック状態に伴い下方の移動端に保持される。
【０１１３】
同時に、録音レバー４２の下方への移動に伴う再生レバー４１の下方への移動により、作用片部４１ｂがスイッチングレバー４６の傾斜状縁部４６ｄに摺動され、スイッチングレバー４６が右方へ移動される。スイッチングレバー４６が右方へ移動されると、操作片４６ｅによってスイッチ片３４が押圧され、該スイッチ片３４とスイッチ片３５が接触されてスイッチＯＮ状態となり駆動モーター８に駆動電流が供給される。
【０１１４】
このとき再生レバー４１の下方への移動により、サブシャーシ３６に支持されている昇降スライダー５８が下方へ移動される。昇降スライダー５８の下方への移動に伴ってヘッド５９が下方へ移動されると共にピンチローラー６０ａが略下方へ移動される。従って、ヘッド５９及びピンチローラー６０ａがテープ状記録媒体１００に押し当てられ、該ピンチローラー６０ａによってテープ状記録媒体１００に一定のテンションが付与される。
【０１１５】
同時に、磁気ヘッド６１ａが録音レバー４２の下方への移動に伴って略下方へ移動され、テープ状記録媒体１００に押し当てられる。
【０１１６】
昇降スライダー５８が下方へ移動されると、係合片５８ａと被受け片５４ｂが接触された状態でバネ部材の付勢力によって回動レバー５４がＲ１方向へ回動され、該回動レバー５４に支持されている連動ギヤ５５が２段ギヤ５７の小径部５７ｂ及びリール台４８のギヤ部４８ａに噛合される。従って、駆動モーター８の駆動力が２段ギヤ５７の小径部５７ｂから連動ギヤ５５を介してリール台４８に伝達され、該リール台４８が低速で回転されてテープ状記録媒体１００が巻き取られる。このとき磁気ヘッド６１ａを介してテープ状記録媒体１００に情報信号が記録され、録音が行われる。
【０１１７】
上記した早送りモード、巻戻しモード、再生モード及び録音モードにおいては、テープ状記録媒体１００が正転方向又は反転方向に高速又は低速で走行されてテープ走行モードとされるが、このテープ走行モードにおいては、以下に示すように、切替レバー１８がエンド検出レバー５０によって常にＲ１方向へ付勢される（図１７及び図１８参照）。
【０１１８】
テープ走行モードにおいては、リール台４８がＲ１方向又はＲ２方向へ回転され、該リール台４８の回転に伴ってエンド検出レバー５０がＲ１方向又はＲ２方向へ回転可能とされている。
【０１１９】
例えば、リール台４８がＲ１方向へ回転されると、切替レバー１８の軸挿入孔２４に挿入されているエンド検出レバー５０の軸状部５０ｂは右側開口押圧縁２４ｂを右斜め下方へ押圧する（図１７参照）。このときエンド検出レバー５０はリール台４８と一体となって回転され、又は、リール台４０に対して相対的に回転する状態とされる。
【０１２０】
軸状部５０ｂが右側開口押圧縁２４ｂを右斜め下方へ押圧することにより、切替レバー１８は常にＲ１方向へ付勢され、カム係合部２０ａが回転中のフライホイール１０の第１のカム部１６に摺動される。
【０１２１】
逆に、リール台４８がＲ２方向へ回転されると、切替レバー１８の軸挿入孔２４に挿入されているエンド検出レバー５０の軸状部５０ｂは左側開口押圧縁２４ａを左斜め下方へ押圧する（図１８参照）。このときエンド検出レバー５０はリール台４８と一体となって回転され、又は、リール台４０に対して相対的に回転する状態とされる。
【０１２２】
軸状部５０ｂが左側開口押圧縁２４ａを左斜め下方へ押圧することにより、切替レバー１８は常にＲ１方向へ付勢され、カム係合部２０ａが回転中のフライホイール１０の第１のカム部１６に摺動される。
【０１２３】
テープ走行モード、即ち、早送りモード、巻戻しモード、再生モード及び録音モードにおいては、図１７及び図１８に示すように、スライダー４３が右方の移動端から左方へ移動されているため、第１の捩じりコイルバネ２５は第２の腕部２５ｃが切替レバー１８のバネ支持突部２０ｂから左方に離隔されており、第１の捩じりコイルバネ２５によって切替レバー１８はＲ１方向へ付勢されない。
【０１２４】
次に、テープの走行を一時的に停止する一時停止モードへの遷移動作について説明する（図１９参照）。尚、一時停止モードは再生モード又は録音モードから遷移動作が行われるが、以下には、例として、再生モードから一時停止モードへの遷移動作について説明する。
【０１２５】
一時停止モードは、再生モード（又は録音モード）において一時停止釦５ａが押圧操作されて一時停止レバー３７が下方へ移動されることにより形成される。
【０１２６】
一時停止レバー３７が下方へ移動されると、シャーシ７の後面７ｉに取り付けられた図示しないロック部材によって一時停止レバー３７がロックされる。
【０１２７】
一時停止レバー３７が下方へ移動されるときには、押圧突部３７ａによってローラーユニット６０が押圧され、該ローラーユニット６０がＲ２方向へ回動される。従って、ピンチローラー６０ａが略上方へ移動されてテープ状記録媒体１００から離隔され、テープ状記録媒体１００に付与されていたテンションが解除される。
【０１２８】
同時に、一時停止レバー３７の押圧部３７ｃによってＲ１方向へ回動されている回動レバー５４の被押圧片５４ａが押圧され、回動レバー５４がＲ２方向へ回動されて連動ギヤ５５が２段ギヤ５７の小径部５７ａから離隔され両者の噛合が解除される。従って、駆動モーター８は回転されているものの、その駆動力が２段ギヤ５７から伝達ギヤ５５に伝達されず、リール台４８の回転が停止される。
【０１２９】
一時停止レバー３７が下方へ移動されるときには、バネ作用部３７ｂによって第１の捩じりコイルバネ２５の第１の腕部２５ｂが第２の腕部２５ｃに近付く方向へ押圧され、該第２の腕部２５ｃが切替レバー１８のアーム部２０に左方から接触される。従って、切替レバー１８が第１の捩じりコイルバネ２５によってＲ１方向へ付勢され、カム係合部２０ａが回転中のフライホイール１０の第１のカム部１６に係合された状態が保持される。
【０１３０】
このように一時停止モードにおいて、切替レバー１８が第１の捩じりコイルバネ２５によってＲ１方向へ付勢され、カム係合部２０ａが回転中のフライホイール１０の第１のカム部１６に係合された状態が保持されるため、カム係合部２０ａが回転中のフライホイール１０の第２のカム部１７に係合されることがなく、誤動作の防止を図ることができる。
【０１３１】
一時停止モードの解除、即ち、一時停止モードから再生モード（又は録音モード）への遷移動作は、一時停止釦５ａを再度押圧操作することにより行うことができる。
【０１３２】
一時停止釦５ａを再度押圧操作すると、一時停止レバー３７が僅かに下方へ移動されてロック部材によるロックが解除される。ロックが解除されると、バネ部材の付勢力によって一時停止レバー３７は上方へ移動され、初期位置に戻る。
【０１３３】
一時停止レバー３７が上方へ移動されるときには、押圧突部３７ａによるローラーユニット６０に対する押圧が解除されてピンチローラー６０ａが元の位置に戻り、押圧部３７ｃによる被押圧片５４ａに対する押圧が解除されて回動レバー５４が元の位置の戻り、バネ作用部３７ｂによる第１の腕部２５ｂに対する押圧が解除されて第１の捩じりコイルバネ２５が元の位置に戻り、再び再生モード（又は録音モード）が形成される。
【０１３４】
次に、テープの走行を停止するストップモードへの遷移動作について説明する（図２０参照）。尚、ストップモードはテープ走行モード（早送りモード、巻戻しモード、再生モード及び録音モード）から遷移動作が行われる。
【０１３５】
ストップモードはテープ走行モードにおいてストップ・イジェクト釦５ｂが押圧操作されてストップレバー３８が下方へ移動されることにより形成される。
【０１３６】
テープ走行モードにおいては、上記したように、スライダー４３が右方の移動端から左方へ移動され、早送りレバー３９の作用突部３９ａ、巻戻しレバー４０の作用片部４０ａ、再生レバー４１の作用片部４１ｂ又は録音レバー４２の連結片部４２ａがスライダー４３のロック凹部４４ｆ、４４ｇ、４４ｈ、４４ｉの何れかに係合されてロックされている。
【０１３７】
ストップレバー３８が下方へ移動されると、押圧片部３８ａがスライダー４３の傾斜縁４４ａに摺動され、スライダー４３が左方の移動端まで移動されていく。スライダー４３が左方へ移動されると、早送りレバー３９の作用突部３９ａ、巻戻しレバー４０の作用片部４０ａ、再生レバー４１の作用片部４１ｂ又は録音レバー４２の連結片部４２ａによるスライダー４３のロック凹部４４ｆ、４４ｇ、４４ｈ、４４ｉの何れかに対する係合が解除され、早送りレバー３９、巻戻しレバー４０、再生レバー４１又は録音レバー４２が各バネ部材の付勢力によって上方へ移動されて初期位置に戻る。
【０１３８】
早送りレバー３９、巻戻しレバー４０、再生レバー４１又は録音レバー４２が上方へ移動されると、バネ部材の付勢力によってスイッチングレバー４６が左方の移動端まで移動され、操作片４６ｅによるスイッチ片３４に対する押圧が解除され、該スイッチ片３４とスイッチ片３５が離隔されてスイッチＯＦＦ状態となり駆動モーター８に対する駆動電流の供給が停止され、駆動モーター８の回転が停止される。
【０１３９】
早送りレバー３９、巻戻しレバー４０、再生レバー４１又は録音レバー４２の上方への移動により、首振レバー２７や回動レバー５４等の各部が初期位置に戻り、ストップモードが形成される。
【０１４０】
ストップレバー３８が下方へ移動されるときには、同時に、押圧片部３８ａがイジェクト用アーム４７の逃げ凹部４７ｂに挿入され、イジェクト用アーム４７は回動されずスライダー４３に伴って左方へ移動され、スライダー４３とともに左方の移動端まで移動される。
【０１４１】
上記したようにストップモードが形成された後、ストップ・イジェクト釦５ｂに対する押圧操作を解除すると、ストップレバー３８がバネ部材の付勢力によって上方へ移動され初期位置に戻る。
【０１４２】
ストップレバー３８が上方へ移動されると、押圧片部３８ａと傾斜縁４４ａの係合が解除されるため、スライダー４３はバネ部材の付勢力によって右方の移動端に戻る（図１１参照）。
【０１４３】
次に、テープ駆動装置１に備えられたオートストップ機能について説明する（図２１参照）。オートストップ機能は、テープ走行モードにおいてエンド検出レバー５０によってテープ状記録媒体１００の始端又は終端が検出されたときに実行され、自動的にストップモードが形成される機能である。
【０１４４】
テープ走行モードにおいてテープ状記録媒体１００がリール台４８に始端又は終端まで巻き取られると、リール台４８の回転が停止されてエンド検出レバー５０の回転が停止される。エンド検出レバー５０の回転が停止されると、エンド検出レバー５０から切替レバー１８に付与されていた付勢力が消失する。テープ走行モードにおいては、上記したように、第１の捩じりコイルバネ２５によって切替レバー１８に付勢力が付与されていないため（図１７及び図１８参照）、切替レバー１８は任意の方向へ回動可能な状態とされる。
【０１４５】
駆動モーター８の慣性力によってフライホイール１０が回転されると、切替レバー１８のカム係合部２０ａは第１のカム部１６の円弧状部１６ａと変位部１６ｂの周囲を相対的に移動され、Ｒ１方向への付勢力が付与されていない切替レバー１８はカム係合部２０ａが第２のカム部１７の外面に係合されて摺動される（図２１参照）。
【０１４６】
カム係合部２０ａが第２のカム部１７に係合されると、切替レバー１８はＲ２方向へ回動され、カム係合部２０ａによってスライダー４３の被押圧片４５ａが右方から押圧され、スライダー４３が左方へ移動される。従って、ストップレバー３８が下方へ移動されたときと同様に、早送りレバー３９の作用突部３９ａ、巻戻しレバー４０の作用片部４０ａ、再生レバー４１の作用片部４１ｂ又は録音レバー４２の連結片部４２ａによるスライダー４３のロック凹部４４ｆ、４４ｇ、４４ｈ、４４ｉの何れかに対する係合が解除され、早送りレバー３９、巻戻しレバー４０、再生レバー４１又は録音レバー４２が各バネ部材の付勢力によって上方へ移動されて初期位置に戻る。
【０１４７】
早送りレバー３９、巻戻しレバー４０、再生レバー４１又は録音レバー４２が上方へ移動されると、バネ部材の付勢力によってスイッチングレバー４６が左方の移動端まで移動され、操作片４６ｅによるスイッチ片３４に対する押圧が解除され、スイッチＯＦＦ状態となり駆動モーター８の回転が停止される。同時に、首振レバー２７や回動レバー５４等の各部が初期位置に戻り、ストップモードが形成される。
【０１４８】
このときバネ部材によって右方へ付勢されているスライダー４３の被押圧片４５ａが切替レバー１８のカム係合部２０ａに左方から係合されているため、フライホイール１０が駆動モーター８の慣性によりさらに回転されて切替レバー１８のカム係合部２０ａの第２のカム部１７に対する係合が解除されると、バネ部材の付勢力によってスライダー４３が右方の移動端に戻り、切替レバー１８はカム係合部２０ａが被押圧片４５ａに押圧されてＲ１方向へ回動される。
【０１４９】
切替レバー１８はバネ支持突部２０ｂが第１の捩じりコイルバネ２５の第２の腕部２５ｃによって右方へ押圧され、第１の捩じりコイルバネ２５によってＲ１方向へ付勢され、カム係合部２０ａが再びフライホイール１０の第１のカム部１６に係合される。
【０１５０】
上記したテープ走行モードにおいては、エンド検出レバー５０によって切替レバー１８にＲ１方向への付勢力が付与され、エンド検出レバー５０は第２の負荷調整用バネ５３によってリール台４８に対して一定の負荷を付与された状態で回転されている。
【０１５１】
このときテープ駆動装置１の使用環境、例えば、高温時における使用時等に、シャーシ７に対するリール台４８の回転に対する負荷及びリール台４８に対するエンド検出レバー５０の回転に対する負荷に変化が生じる場合がある。リール台４８に対するエンド検出レバー５０の回転に対する負荷に変化が生じてしまった場合には、切替レバー１８が意図せずＲ２方向へ回動してしまい、最悪の場合には、テープ状記録媒体１００の走行中に切替レバー１８のカム係合部２０ａによってスライダー４３の被押圧片４５ａが押圧されテープ走行停止モードが形成されてしまうと言うおそれがある。
【０１５２】
しかしながら、テープ駆動装置１にあっては、シャーシ７に対するリール台４８の回転に対する負荷を付与する第１の負荷調整用バネ５２とリール台４８に対するエンド検出レバー５０の回転に対する負荷を付与する第２の負荷調整用バネ５３とを設け、該第２の負荷調整用バネ５３をリール台４８に対するエンド検出レバー５０の回転に対する負荷を付与する専用の部材として用いているため、リール台４８に対するエンド検出レバー５０の回転に対する負荷の調整をシャーシ７に対するリール台４８の回転に対する負荷の調整とは別個に管理することができ、テープ状記録媒体１００の走行中における意図しないテープ走行停止モードの形成と言う不具合の発生を防止することができる。
【０１５３】
また、テープ駆動装置１にあっては、切替レバー１８のカム係合部２０ａが第２のカム部１７に係合されたときにカム係合部２０ａによってスライダー４３の被押圧部４５ａを押圧してテープ走行モードを形成するようにしているため、テープ走行モードの形成を簡単かつ確実に行うことができる。
【０１５４】
さらに、テープ駆動装置１にあっては、第１の負荷調整用バネ５２と第２の負荷調整用バネ５３としてともに圧縮コイルバネが用いられ、第１の負荷調整用バネ５２と第２の負荷調整用バネ５３の軸中心がリール台４８及びエンド検出レバー５０の回転中心に軸方向において略一致されているため、シャーシ７に対するリール台４８の回転に対する負荷の調整及びリール台４８に対するエンド検出レバー５０の回転に対する負荷の調整を高精度に行うことができ、また、リール台４８とエンド検出レバー５０の回転中の軸ブレを防止することができる。
【０１５５】
加えて、テープ駆動装置１にあっては、バネ受け部材５１の外形が円形状に形成され、該バネ受け部材５１の中心とリール台４８及びエンド検出レバー５０の回転中心とが軸方向において略一致されているため、バネ受け部材５１の構成が簡単であると共にリール台４８とエンド検出レバー５０の回転中の軸ブレを防止することができる。
【０１５６】
次に、テープ走行モードからストップモードが形成されたときの状態について説明する（図２０参照）。
【０１５７】
テープ走行モードからストップモードが形成されたときには、上記したように、スライダー４３及びイジェクト用アーム４７が左方の移動端まで移動される。このときイジェクト用アーム４７は押圧突片４７ａがイジェクトレバー６２の左方に位置される。従って、この状態でイジェクト用アーム４７が回動されて押圧突片４７ａが略下方へ移動されても、押圧突片４７ａによってイジェクトレバー６２を押圧することができず、テープカセット２００のイジェクトを行うことができない。
【０１５８】
ストップモードが形成されたときには、上記したように、駆動モーター８は慣性により回転され、切替レバー１８のカム係合部２０ａに対してフライホイール１０が回転される。
【０１５９】
ストップレバー３８が下方へ移動された状態が保持されているときには、バネ押圧部３８ａによって第２の捩じりコイルバネ２６の第１のアーム部２６ｂが下方へ押圧され、第２のアーム部２６ｃによって切替レバー１８の作用突部２１が下方へ押圧される。切替レバー１８は第２の捩じりコイルバネ２６によってＲ１方向へ付勢され、カム係合部２０ａはフライホイール１０の第１のカム部１６とのみ摺動され、第２のカム部１７とは摺動されない。従って、第２の捩じりコイルバネ２６は、ストップレバー３８が下方へ移動されている状態において切替レバー１８にＲ１方向への回動力を付与しフライホイール１０の第１のカム部１６にカム係合部２０ａを係合させる作用部材として機能する。
【０１６０】
このようにカム係合部２０ａはフライホイール１０の第１のカム部１６とのみ摺動されるため、ストップ・イジェクト釦５ｂの押圧操作を解除してストップレバー３８が上方へ移動された後には、第１の捩じりコイルバネ２５によって付勢される切替レバー１８は、常に、カム係合部２０ａが第１のカム部１６に係合される。従って、ストップレバー３８が上方へ移動されたときに、切替レバー１８のカム係合部２０ａが第２のカム部１７に係合されてカム係合部２０ａが被押圧片４５ａと接触してスライダー４３が右方の移動端より左方側に保持されることがなく、ストップレバー３８が上方へ移動されたときには、常に、イジェクト用アーム４７の押圧突片４７ａがイジェクトレバー６２の真上に位置される（図１２参照）。
【０１６１】
従って、次にストップ・イジェクト釦５ｂが押圧操作されてストップレバー３８が下方へ移動されたときには、常に、イジェクトレバー６２が押圧突片４７ａに押圧されて下方へ移動され、テープカセット２００のイジェクト動作が行われる。
【０１６２】
上記したように、テープ駆動装置１にあっては、ストップレバー３８が下方へ移動されている状態において切替レバー１８にＲ１方向への回動力を付与しフライホイール１０の第１のカム部１６にカム係合部２０ａを係合させる作用部材として機能する第２の捩じりコイルバネ２６を設けているため、駆動モーター８が慣性によって回転されたときにカム係合部２０ａが第２のカム部１７に係合することがなく、動作不良の発生を防止して動作の信頼性の向上を図ることができる。
【０１６３】
また、テープ駆動装置１にあっては、第２の捩じりコイルバネ２６によって切替レバー１８をＲ１方向へ付勢し、ストップレバー３８が上方へ移動された後に、再度ストップレバー３８が下方へ移動されたときには、常に、イジェクトレバー６２の真上にイジェクト用アーム４７の押圧突片４７ａが位置されるようにしているため、テープカセット２００のイジェクトを確実に行うことができる。
【０１６４】
さらに、テープ駆動装置１にあっては、作用部材として第２の捩じりコイルバネ２６であるバネ部材を用いているため、簡単な構成によって確実にテープカセット２００のイジェクトを行うことができる。
【０１６５】
上記した最良の形態において示した各部の具体的な形状及び構造は、何れも本発明を実施するに際しての具体化のほんの一例を示したものにすぎず、これらによって本発明の技術的範囲が限定的に解釈されることがあってはならないものである。
【図面の簡単な説明】
【０１６６】
【図１】図２乃至図２１と共に本発明の最良の形態を示すものであり、本図は、テープ駆動装置の斜視図である。
【図２】テープ駆動機構を示す拡大正面図である。
【図３】テープ駆動機構を示す拡大背面図である。
【図４】シャーシと該シャーシに支持された捩じりコイルバネ及び切替レバーを示す拡大正面図である。
【図５】フライホイールと切替レバーのカム係合部とを示す拡大分解斜視図である。
【図６】フライホイールの拡大正面図である。
【図７】リール台と切替レバーの関係を示す拡大分解斜視図である。
【図８】テープ駆動機構をサブシャーシを取り外して示す拡大正面図である。
【図９】各レバーを示す拡大正面図である。
【図１０】スライダー、スイッチングレバー及びイジェクト用アームを示す拡大正面図である。
【図１１】図１２乃至図２１と共にテープ駆動機構の動作を示すものであり、本図は、ストップモードを示す概略拡大正面図である。
【図１２】ストップモードにおける切替レバー等の状態を示す概略拡大正面図である。
【図１３】早送りモードを示す概略拡大正面図である。
【図１４】巻戻しモードを示す概略拡大正面図である。
【図１５】再生モードを示す概略拡大正面図である。
【図１６】録音モードを示す概略拡大正面図である。
【図１７】テープ走行モードにおいてリール台が一方の方向へ回転されているときの切替レバー等の状態を示す概略拡大正面図である。
【図１８】テープ走行モードにおいてリール台が他方の方向へ回転されているときの切替レバー等の状態を示す概略拡大正面図である。
【図１９】一時停止モードを示す概略拡大正面図である。
【図２０】ストップ釦が押圧操作されているときの切替レバー等の状態を示す概略拡大正面図である。
【図２１】オートストップ機構が実行されるときの切替レバー等の状態を示す概略拡大正面図である。
【符号の説明】
【０１６７】
１…テープ駆動装置、７…シャーシ、８…駆動モーター、１０…フライホイール、１６…第１のカム部、１７…第２のカム部、１８…切替レバー、２０ａ…カム係合部、２６…第２の捩じりコイルバネ（作用部材）、３８…ストップレバー、４３…スライダー、４８…リール台、４９…リール台、５０…エンド検出レバー、５１…バネ受け部材、５２…第１の負荷調整用バネ、６２…イジェクトレバー、１００…テープ状記録媒体、２００…テープカセット
【図１】
2008052828.tif 000003
【図２】
2008052828.tif 000004
【図３】
2008052828.tif 000005
【図４】
2008052828.tif 000006
【図５】
2008052828.tif 000007
【図６】
2008052828.tif 000008
【図７】
2008052828.tif 000009
【図８】
2008052828.tif 000010
【図９】
2008052828.tif 000011
【図１０】
2008052828.tif 000012
【図１１】
2008052828.tif 000013
【図１２】
2008052828.tif 000014
【図１３】
2008052828.tif 000015
【図１４】
2008052828.tif 000016
【図１５】
2008052828.tif 000017
【図１６】
2008052828.tif 000018
【図１７】
2008052828.tif 000019
【図１８】
2008052828.tif 000020
【図１９】
2008052828.tif 000021
【図２０】
2008052828.tif 000022
【図２１】
2008052828.tif 000023